(57)【要約】【課題】  外部からの電源の供給が不要な電子血圧計を提供する。【解決手段】  電子血圧計１００であって、カフ部１１０と、本体部１３０と、送気球１４０と、を備え、前記本体部１３０は、更に、排気弁と、排気ボタン１３２と、送気球１４０から送られた空気によってタービンが回転することで発電を行うタービン発電部と、前記タービン発電部より供給される電力を充電する充電部と、を備え、カフ部１１０の減圧過程においてカフ部１１０内の空気を前記排気弁へと、所定の速度で送る受動型定速排気弁１２４を更に備えることを特徴とする。【選択図】  図１
2012040198.tif 000002
【特許請求の範囲】
【請求項１】
被検者の血圧を測定する電子血圧計であって、
被検者の測定部位に装着されるカフ部と、
前記測定部位に装着され、加圧された前記カフ部の減圧過程における圧力値に基づいて、前記被検者の血圧値を算出する制御部が配された本体部と、
前記本体部を介して前記カフ部に空気を送り込むことで、前記カフ部を加圧する送気球と、を備え、
前記本体部は、更に、
前記カフ部の減圧過程において前記カフ部から送られた空気または前記送気球から送られた空気を、前記本体部の外部に排出する排出路と、前記送気球から送られた空気を前記カフ部に送り込む送気路との間で、空気の流路の切り替えが可能な排気弁と、
前記排気弁の流路を手動で切り替えるための機構を有する排気ボタンと、
前記送気球と前記排気弁との間の前記送気路上に配置されたタービンが、前記送気球から送られた空気によって回転することで発電を行うタービン発電部と、
前記制御部を起動させるために、前記タービン発電部より供給される電力を充電する充電部と、を備え、
前記排気弁と前記カフ部との間における前記排出路上に配置され、前記カフ部の減圧過程において、前記カフ部内の圧力が一定速度で減圧されるように、前記カフ部内の空気を排出する場合にオリフィス径が前記カフ部内の圧力により変化する受動型定速排気弁を更に備えることを特徴とする電子血圧計。
【請求項２】
前記本体部は、更に、受光により発電する光発電部を備え、前記充電部は、更に、該光発電部より供給される電力を充電することを特徴とする請求項１に記載の電子血圧計。
【請求項３】
前記本体部は、前記制御部の起動を指示する電源ボタンを更に備えることを特徴とする請求項２に記載の電子血圧計。
【請求項４】
前記電源ボタンにより前記制御部の起動が指示された場合であって、前記充電部が前記被検者の血圧値を算出するのに必要な電力を供給できない場合には、電力が不足していることを示すメッセージを表示することを特徴とする請求項３に記載の電子血圧計。
【請求項５】
前記電源ボタンにより前記制御部の起動が指示された場合であって、前記充電部の電圧値が所定の閾値以下となった場合には、前記制御部は自動的に停止することを特徴とする請求項３に記載の電子血圧計。
【請求項６】
前記電源ボタンにより前記制御部の停止が指示された場合であって、前記充電部が、前記光発電部より供給される電力を充電中であり、かつ、前記充電部が前記被検者の血圧値を算出するのに必要な電力を供給できない場合には、前記制御部が起動し、電力が不足していることを示すメッセージを表示することを特徴とする請求項３に記載の電子血圧計。
【請求項７】
前記電源ボタンにより前記制御部の起動が指示された場合において、前記制御部は、前記圧力値が、所定値以下であるか否かを判定し、所定値以下であると判定された場合に、圧力値をゼロに設定することを特徴とする請求項３に記載の電子血圧計。
【請求項８】
前記制御部は、前記圧力値がゼロに設定された後であって、前記圧力値の上昇が停止した場合に、脈波の検出及びコロトコフ音の検出を開始することを特徴とする請求項７に記載の電子血圧計。
【請求項９】
前記制御部は、前記脈波の検出及びコロトコフ音の検出を開始した場合において、前記圧力値の減少幅が所定値に到達する前に、前記コロトコフ音が検出された場合には、前記カフ部への加圧が不足していたと判定することを特徴とする請求項８に記載の電子血圧計。
【発明の詳細な説明】
【技術分野】
【０００１】
本発明は、電子血圧計に関するものである。
【背景技術】
【０００２】
現在、医療現場で使用されている血圧計には、聴診法を用いて測定する水銀血圧計やアネロイド血圧計などの手動式血圧計と、加圧から減圧、血圧値の決定までを自動で行う自動式血圧計の２種類の血圧計がある。
【０００３】
手動式血圧計は、電源が不要であり、小型で持ち運びが容易であるため、どのような医療現場の状況にも対応できるという機動性を有している。一方で、測定精度が個人の能力に左右され、客観性に乏しいという欠点も備える。
【０００４】
これに対して、自動式血圧計は、加圧及び減圧がすべて自動で行われるため、操作が簡単であるうえ、血圧値の決定処理がソフトウェアにより行われるため、測定結果に客観性があるという利点がある。一方で、現状の自動式血圧計は、大きな加圧機構や、動作用の大きな電源の実装が避けられず（あるいは、動作用の電源供給が可能な場所でしか使用できず）、結果、装置が大型化し、持ち運びが不便であるうえ、機動性にも劣るといった欠点を有している。
【０００５】
このような背景のもと、最近では、この両方の利点を組み合わせ、加圧機構のみを手動で行うよう構成された電子血圧計が提案されている（例えば、下記特許文献１参照）。
【先行技術文献】
【特許文献】
【０００６】
【特許文献１】特開２００６−７５４３６号公報
【発明の概要】
【発明が解決しようとする課題】
【０００７】
しかしながら、上記特許文献１に開示された電子血圧計の場合、依然として、動作用の電源が必要であり、血圧測定に際して、ユーザは予め動作用の電源（電池あるいは電力網）を確保しておかなければならないという問題がある。
【０００８】
これに対して、電子血圧計自体に、発電機能を搭載させることができれば、ユーザは使用場所の限定や電池切れの心配等から解放され、電子血圧計の機動性を向上させることができる。
【０００９】
加えて、発展途上国等のように、そもそも電池の普及が十分でない地域や家庭用電力網の普及が十分でない地域においても利用できるようになることから、電子血圧計の更なる普及にも貢献できるものと期待される。
【００１０】
本発明は上記課題に鑑みてなされたものであり、外部からの電源の供給が不要な電子血圧計を提供することを目的とする。
【課題を解決するための手段】
【００１１】
上記の目的を達成するために、本発明に係る電子血圧計は以下のような構成を備える。即ち、
被検者の血圧を測定する電子血圧計であって、
被検者の測定部位に装着されるカフ部と、
前記測定部位に装着され、加圧された前記カフ部の減圧過程における圧力値に基づいて、前記被検者の血圧値を算出する制御部が配された本体部と、
前記本体部を介して前記カフ部に空気を送り込むことで、前記カフ部を加圧する送気球と、を備え、
前記本体部は、更に、
前記カフ部の減圧過程において前記カフ部から送られた空気または前記送気球から送られた空気を、前記本体部の外部に排出する排出路と、前記送気球から送られた空気を前記カフ部に送り込む送気路との間で、空気の流路の切り替えが可能な排気弁と、
前記排気弁の流路を手動で切り替えるための機構を有する排気ボタンと、
前記送気球と前記排気弁との間の前記送気路上に配置されたタービンが、前記送気球から送られた空気によって回転することで発電を行うタービン発電部と、
前記制御部を駆動させるために、前記タービン発電部より提供される電力を充電する充電部と、を備え、
前記排気弁と前記カフ部との間における前記排出路上に配置され、前記カフ部の減圧過程において、前記カフ部内の圧力が一定速度で減圧されるように、前記カフ部内の空気を排出する場合にオリフィス径が前記カフ部内の圧力により変化する受動型定速排気弁を更に備えることを特徴とする。
【発明の効果】
【００１２】
本発明によれば、外部からの電源の供給が不要な電子血圧計を提供することが可能となる。
【図面の簡単な説明】
【００１３】
【図１】本発明の一実施形態に係る電子血圧計１００の外観構成を示す図である。
【図２】電子血圧計１００の表示部の構成を示す図である。
【図３】電子血圧計１００の機能構成を示す図である。
【図４】電子血圧計１００の送排気機構及びタービン発電機構を説明するための図である。
【図５】電子血圧計１００の状態遷移図である。
【図６】電子血圧計１００の測定中状態における充電状態表示処理の流れを示すフローチャートである。
【図７】電子血圧計１００の充電状態表示処理時の表示部の表示内容の一例を示す図である。
【図８Ａ】電子血圧計１００の測定処理の流れを示すフローチャートである。
【図８Ｂ】電子血圧計１００の測定処理の流れを示すフローチャートである。
【図８Ｃ】電子血圧計１００の測定処理の流れを示すフローチャートである。
【図９】電子血圧計１００の測定処理時の表示部の表示内容の一例を示す図である。
【図１０】電子血圧計１００の測定処理時の表示部の表示内容の一例を示す図である。
【図１１】電子血圧計の測定処理の流れを示すフローチャートである。
【発明を実施するための形態】
【００１４】
はじめに、本発明の各実施形態に係る電子血圧計の概要について説明する。以下に説明する各実施形態の電子血圧計は、発電機能を搭載しており、外部からの電源供給が行われなくても、血圧測定が可能である点に特徴がある。
【００１５】
また、搭載された発電機能は、光発電機能に加え、カフ加圧時の送風を利用したタービン発電機能を有している点に特徴がある。
【００１６】
また、上記発電機能により供給された電力に基づく血圧測定を、より長時間にわたって維持できるようにするために（つまり、省電力化のために）、カフへの空気の供給／カフ内の空気の排出を手動で実行する構成とし（送気球により空気を供給する構成、手動により排気弁の開閉を行う構成、及び受動型定速排気弁を利用した構成とし）、血圧測定における消費電力を極力低減させるとともに、充電部（スーパーキャパシタまたは充電池）を設け、発電機能により供給された電力を蓄電する構成とした点に特徴がある。
【００１７】
また、従来の自動式血圧計の場合、カフ圧が最高血圧値より低い場合には再加圧する自動再加圧機能が配されているのに対して、カフへの空気の供給／カフ内の空気の排出を手動で実行させようとすると、カフへの加圧が不足した状態のまま、ユーザがカフ圧の減圧を開始させてしまう可能性がある。このため、以下に説明する各実施形態の電子血圧計では、このような事態を考慮し、カフの加圧不足を的確に判断する処理を付加した点に更に特徴がある。
【００１８】
また、測定時に加圧不足が生じた場合や、測定の開始時及び終了時にカフ内に残圧が残っていた場合等に、内部状態に応じたメッセージを適切なタイミングで表示させ、手動による操作をユーザが正しく行うことができるようにした点に更に特徴がある。以下、本発明の各実施形態について図面を参照しながら詳細に説明する。
【００１９】
［第１の実施形態］
１．電子血圧計の外観構成
図１は、本発明の一実施形態に係る電子血圧計（被検者の測定部位にカフを巻いて測定を行う非観血式の電子血圧計）１００の外観構成を示す図である。
【００２０】
図１に示すように、電子血圧計１００は、ユーザの測定部位に巻かれるカフ部１１０と、本体部１３０とを備え、本体部１３０には、電子血圧計１００全体を制御するための、また、カフ圧及び脈波を測定する圧力センサやコロトコフ音を検出するＫ音処理部等を動作させるための制御部と、カフ部１１０との間で空気の送排気を行う送排気機構ならびに送出された空気を利用して発電するタービン発電機構と、室内光または太陽光により発電する光発電機構とが収容されている。
【００２１】
なお、カフ部１１０と本体部１３０との間は、カフチューブＡｓｓ’ｙ（配管・配線部）１２０により接続されており、本体部１３０の下側面には、ユーザがポンピング操作を繰り返すことで、本体部１３０及びカフチューブＡｓｓ’ｙ（配管・配線部）１２０を介して、カフ部１１０に空気を送り込む送気球（加圧ゴム気球）１４０が配されている。以下、各部１１０〜１４０の詳細について説明する。
【００２２】
カフ部１１０は、ユーザの測定部位にカフ布１１１を巻いて罫着固定するための雄型の面ファスナー１１２と、雌型の面ファスナー１１３とを備える。また、カフ布１１１の内部には、カフ（空気袋）１１４が配されている。カフ１１４はカフチューブＡｓｓ’ｙ（配管・配線部）１２０を介して送られてきた空気により内部圧力が最高血圧値以上に上げられることで、カフ布１１１が巻かれたユーザの測定部位を圧迫し動脈血管を阻血する。更に、カフ布１１１の内部にはＫ音検出部１１５が配されている。このＫ音検出部１１５は、測定部位が阻血された状態から、カフ１１４内の空気が受動型定速減圧弁（後述）により徐々に排出され、カフ１１４内圧力が最低血圧以下に低下することで、阻血状態が解除され、血流が再開された際に生じるコロトコフ音を検出できるよう構成されている。
【００２３】
カフチューブＡｓｓ’ｙ（配管・配線部）１２０は、カフ部１１０へ送られる空気及びカフ部１１０から排出される空気を搬送するチューブ１２１と、Ｋ音検出部１１５において検出されたＫ音信号を本体部１３０に送信する配線１２２とを備える。また、チューブ１２１及び配線１２２を本体部１３０に接続するための３連プラグ１２３（配線コネクタ１２６、配管コネクタ１２５及び１２７を介して本体部１３０に接続される）を備える。なお、３連プラグ１２３には、カフ部１１０内の圧力を一定速度で減圧（定速減圧）するための受動型定速排気弁が配されている。受動型定速排気弁は、カフ部１１０内の空気を外部に排出するための排出路上において、オリフィス径がカフ部１１０内の圧力に応じて変化することで定速減圧を実現している。このため、図１の例では、３連プラグ１２３内に配する構成としているが、これに限定されるものではなく、排出路上であれば、任意の位置に配することができる。
【００２４】
本体部１３０には、その上側面に本体側コネクタ１３１が備えられており、カフチューブＡｓｓ’ｙ（配管・配線部）１２０の３連プラグ１２３は、当該本体側コネクタ１３１を介して本体部１３０に接続される。また、本体部１３０の上面には空気の流路を切り替える機構を有するトグル動作タイプの排気ボタン１３２が備えられており、押圧されることで排気弁を排気側に切り替えると本体部１３０内に収容された排気弁の流路が大気側に全開し、これにより、カフ部１１０内の空気が外部へと排出される。また、本体部１３０の上面には、Ｓｏｌａｒ  ｂａｔｔｅｒｙ  ｃｅｌｌ  １３３が配されており、光が照射されることで発電するよう構成されている。なお、発電した電力は、本体部１３０内の充電部（スーパーキャパシタ、または充電池）に充電され、発電していないときでも電子血圧計１００を動作させることができるように構成されている。
【００２５】
更に、本体部１３０の上面には、ＬＣＤ等から構成される表示部１３４が配されている。表示部１３４は、ユーザに対して、電子血圧計１００の内部状態やユーザに対して所定の操作を促すための指示、ならびに測定結果を表示したりする。更に、本体部１３０の上面には、電源ボタン１３５が配されている。電源ボタン１３５は、１回の押圧により電源がＯＮし、再度の押圧により電源がＯＦＦするよう構成されている。
【００２６】
一方、本体部１３０の本体側コネクタ１３１の装着面とは反対の側面には、送気球１４０を支持するとともに、送気球１４０から送り出された空気を本体部１３０内に導くための接続部１３６が備えられている。なお、送気球１４０から本体部１３０内に送り出された空気は、本体部１３０内の不図示のタービンを回動させる。これにより、電子血圧計１００では、送気球１４０から本体部１３０内に空気が送り出されるたびに、不図示のタービン発電部が発電することとなる。なお、本体部１３０内の送排気機構ならびにタービン発電機構の詳細は後述する。
【００２７】
送気球１４０は、接続部１３６を介して本体部１３０と接続されている。送気球１４０内において接続部１３６の端面には逆止弁が設けられている。当該逆止弁は、送気球１４０を潰し、送気球１４０内の空気が接続部１３６を介して本体部１３０方向へ送り出される場合には全開し、逆向きの空気の流れとなる場合には全閉する。これにより、本体部１３０内の空気が送気球１４０内に逆流することが防止されている。
【００２８】
送気球１４０の端部（接続部１３６と接続された側と反対側の端部）には、尻弁１４２（ボール型逆止弁の一種）が設けられており、送気球１４０復元時に送気球１４０外部の空気の内部への流入及び送気球１４０を潰す時に送気球１４０内部の空気の外部への流出を阻止する。具体的には、送気球１４０が押圧されることで正圧状態となっている場合には、送気球１４０内部の空気が尻弁１４２を介して外部へ流出してしまうことを防ぐため、尻弁１４２は全閉となる。一方、押圧された送気球１４０が押圧状態から解放され、復元にあたって内部が負圧状態となっている場合には、送気球１４０外部の空気が内部へと流入するように、尻弁１４２は全開となる。
【００２９】
２．表示部の構成
次に、本体部１３０の上面に配された表示部１３４の構成について説明する。図２に示すように、表示部１３４は、電子血圧計１００において測定された最高血圧値を表示する最高血圧値表示領域２０１と、最低血圧値を表示する最低血圧値表示領域２０２とを備える。また、最高血圧値及び最低血圧値を測定した際の脈拍数値、または、カフ１１４の加圧中におけるカフ１１４内部の圧力値を表示する、脈拍数値・圧力値表示領域２０３を備える。
【００３０】
更に、表示部１３４は、血圧測定に際して、ユーザに対して所定の操作を促すための指示や電子血圧計１００の内部状態等を適切なタイミングで表示するメッセージ表示領域２０４と、電子血圧計１００の充電状態（充電量、光発電部充電中、タービン発電部充電中、充電不足など）を表示する充電状態表示領域２０５を備える。
【００３１】
３．電子血圧計の本体部の機能構成
次に、電子血圧計１００の本体部１３０内の機能構成について図３を参照しながら説明する。図３は、電子血圧計１００の本体部１３０の機能構成を示す図である。
【００３２】
図３において、３０１は圧力センサであり、制御部３０３から定電流が与えられることで動作しカフ１１４内の圧力を電圧値にて検出した後、得られた電圧信号を増幅したうえで制御部３０３内にあるＡ／Ｄ変換器（不図示）に出力する。３０２はＫ音処理部であり、Ｋ音検出部１１５において検出され配線コネクタ１２６を介して受信した信号を増幅した後、所定のフィルタ処理を施すことで、Ｋ音信号を抽出し、抽出したＫ音信号を制御部３０３内にあるＡ／Ｄ変換器（不図示）に出力する。
【００３３】
３０４は電源ボタンであり、図１の電源ボタン１３５に対応しており、電子血圧計１００の電源ＯＦＦ状態／測定中状態を切り替える。３０５はブザーであり、制御部３０３による制御のもと、加圧不足の場合及び測定開始時のカフに残圧がある場合、あるいは測定終了後に排気をしなかった場合等に、警告音等を出力する。３０６は表示部であり（図１の表示部１３４に対応する）、制御部３０３からの信号（測定結果を示す信号や所定の操作を促すための指示を出力するための信号、内部状態や充電状態を示す信号等）に基づいて種々の表示を行う。
【００３４】
３０７はタービンであり、送気球１４０から本体部１３０内に送り出された空気を配管コネクタ１２５を介してチューブ１２１に送るための本体部１３０内の配管上に取り付けられており、送気球１４０から本体部１３０内に送り出された空気の力により、回転するよう構成されている。
【００３５】
３０８はタービン発電部であり、タービン３０７が回転することで発電する。タービン発電部３０８において発電された電力は電源制御部３１３を介して充電部３１２に送られ、充電部３１２にて充電される。
【００３６】
３０９は排気弁であり、排気ボタン３１０（図１の排気ボタン１３２に対応する）により閉に切り替えられた状態（閉状態）では、送気球１４０から送り出された空気をカフ部１１０側へと送る。
【００３７】
一方、排気ボタン３１０が排気側に切り替えられた状態（開状態）では、カフ部１１０側から送られた空気を、本体部１３０の外部へと排出する。また、送気球１４０から送り出された空気を、本体部１３０の外部へと排出する。
【００３８】
３１１は光発電部であり、Ｓｏｌａｒ  ｂａｔｔｅｒｙ  ｃｅｌｌ  １３３において受光した室内光または太陽光等に基づいて発電する。光発電部３１１において発電された電力は電源制御部３１３を介して充電部３１２へと送られ、充電部３１２にて充電される。
【００３９】
３１２は充電部（例えば、スーパーキャパシタ、または充電池）であり、タービン発電部３０８及び光発電部３１１より送られた電力を充電するとともに、制御部３０３に電力を供給する。なお、以下では、充電部３１２として充電池（２次電池）が使用されているものとして説明する。
【００４０】
電源制御部３１３は、充電部３１２を監視するための機能を備える。具体的には、充電部３１２の過充電を防止するための過充電防止機能及び制御部３０３に定電圧を供給するための定電圧機能を備える。なお、これらの機能はハードウェアとして実現されており、制御部３０３に電力が供給されていない状態であっても（つまり、ＣＰＵが動作していない状態であっても）、機能するよう構成されている。
【００４１】
制御部３０３は、電源ボタン３０４のＯＮ操作により起動する。制御部３０３では、カフ１１４内の空気が受動型定速排気弁にて定速減圧されている間に（つまり減圧過程において）、Ｋ音処理部３０２からの出力に基づいて抽出されたＫ音信号と、圧力センサ３０１からの出力に基づいて検出された圧力信号とに基づいて、ユーザの最高血圧値及び最低血圧値の検出、ならびに脈拍数の算出を行う。また、算出した最高血圧値及び最低血圧値、ならびに脈拍数を表示部３０６に表示するよう制御する。更に、制御部３０３では、最高血圧値及び最低血圧値、ならびに脈拍数を算出するにあたって、ユーザに対して所定の操作を促すための指示や電子血圧計１００の内部状態（加圧不足、排気指示など）を表示部３０６に表示するよう制御する。
【００４２】
また、充電部３１２の充電量（残量）の表示、ならびにタービン発電部３０８及び光発電部３１１が発電中の場合にあっては、発電中であることを示す表示、充電部３１２の充電量が所定値以下の場合にあっては電池不足であることを示す表示等、充電状態に関する表示を行うよう制御する。
【００４３】
更に、充電量が所定値以下となった場合にあっては、充電部３１２の過放電を防止する過放電防止処理を実行するとともに、自動的に電源をＯＦＦにする電源ＯＦＦ処理を実行する。
【００４４】
４．本体部内の送排気機構及びタービン発電機構
次に、本体部１３０内の送排気機構及びタービン発電機構について説明する。図４は、本体部１３０内の送排気機構及びタービン発電機構を説明するための図である。
【００４５】
図４に示すように、本体部１３０内の送排気機構及びタービン発電機構４００は、少なくともタービン３０７と、タービン発電部３０８と、排気弁３０９と、排気ボタン３１０とを備える。
【００４６】
図４に示すように、接続部１３６を介して送気球１４０から送り出された空気は、本体部１３０内に配された配管４０１を介して、円筒状のタービン３０７に導かれる。配管４０１は、円筒状のタービン３０７の周面に対して接線方向に接続されており、内部に回動自在に配されたタービンの羽根４０４に対して、当該送り込まれた空気が略垂直に当たるように構成されている。
【００４７】
タービンの羽根４０４に当てられた空気は、タービンの羽根４０４を回転させた後、上方に設けられた配管４０２を介して排気弁３０９へと送られる。ここで、排気弁３０９内において配管４０２は配管４０３と接続されており、配管４０２と配管４０３とには共通の排気口が設けられている。そして、排気弁３０９は、排気ボタン３１０が閉状態の場合に、配管４０２及び配管４０３の当該共通の排気口を遮蔽するよう構成されている。これにより、送気球１４０から送られた空気は外部へ排出されることなく、カフ１１４へと送られる（つまり、送気路４１１が形成される）。
【００４８】
このため、排気ボタン３１０が閉状態においては、送気球１４０に対するポンピング操作が繰り返されることで、カフ１１４に空気が送り込まれ、カフ１１４が加圧されるとともに、タービン３０７が回転しタービン発電部３０８が発電することとなる。つまり、充電部３１２に電力が供給されることとなる。
【００４９】
一方、排気弁３０９は、排気ボタン３１０が開状態においては、配管４０２及び配管４０３を外部に対して開放する。これにより、カフ１１４内の空気は、チューブ１２１、配管コネクタ１２５、本体側コネクタ１３１、配管４０３を介して、外部へと排気されることとなる（つまり、第１の排出路４１２が形成される）。
【００５０】
同様に、排気ボタン３１０が開状態においては、タービン３０７に送られた空気は、そのまま外部へと排気される。つまり、送気球１４０から送られた空気を、タービン３０７、配管４０２を介して、外部へと排出する第２の排出路４１３が形成されることとなる。
【００５１】
このような構成により、タービン発電部３０８による発電のみを行いたい場合には、排気ボタン３１０を開状態にすることで、カフ１１４へ空気を送り込むことなく、送気球１４０から送られた空気を、タービン発電部３０８による発電のみに利用することができる。
【００５２】
なお、排気弁３０９は、開状態及び閉状態において、それぞれラッチ可能な排気ボタンと連動したラッチ機構（トグル機能）を有しているものとする。
【００５３】
５．電子血圧計の状態遷移
次に、電子血圧計１００の状態遷移について説明する。上述したように、本実施形態に係る電子血圧計１００は、タービン発電部３０８と光発電部３１１とを備え、血圧測定に必要な電力を両発電部の発電により得られた電力によりまかなう構成となっている。
【００５４】
このため、血圧測定を行うにあたり、充電部３１２の充電量（残量）が所定値以下である場合には、積極的に発電処理を行う必要がある。また、ユーザが血圧測定のための操作を行っていない状態であっても発電処理が行われた場合には、これを検知し、自動的に充電を行う必要がある。
【００５５】
更に、充電部３１２（２次電池）の過放電を防ぐために、充電部３１２の充電量（残量）が所定値以下となり、かつ発電処理が行われていない場合には、自動的に電源をＯＦＦにする必要がある。図５は、これらのケースに対応した、本実施形態に係る電子血圧計１００の状態遷移を示す図である。
【００５６】
図５において、電源ＯＦＦ状態は電源ボタン３０４がＯＦＦ操作された状態であり、制御部３０３等に電力が供給されていない状態である（ただし、光発電、タービン発電とも充電は可能である）。この状態では、制御部３０３のＣＰＵも停止しているため、表示部３０６は消灯している。ただし、光発電が行われた場合であって、その時点で、充電部３１２の充電量（残量）が所定値以下となっていた場合には、制御部３０３のＣＰＵ及び表示部３０６が起動し、「電池不足」のみを点灯する（電源ＯＦＦ（光発電）状態に移行する）。なお、光発電により、充電部３１２の充電量（残量）が所定値を超えた場合には、制御部３０３のＣＰＵが停止し、表示部３０６は消灯する（通常の電源ＯＦＦ状態に戻る）。
【００５７】
一方、電源ＯＦＦ状態で電源ボタン３０４が押圧されると、電子血圧計１００は測定中状態に移行する。測定中状態においても光発電及びタービン発電はともに充電が可能であり、測定中状態において光発電またはタービン発電が行われた場合には、光発電中またはタービン発電中であることを示すマークが点灯する。
【００５８】
測定中状態では、制御部３０３は、充電部３１２の充電量（残量）を確認し、表示部３０６に表示する。更に、制御部３０３による確認の結果、充電部３１２の充電量（残量）が所定値より小さい（例えば、１回の血圧測定において必要な電力量を備えていない）と判断した場合には、表示部３０６に「電池不足」と表示する。
【００５９】
測定中状態において表示部３０６に「電池不足」と表示されている場合には、ユーザによって送気球１４０が操作され、タービン発電部３０８において発電が行われる。あるいは、受光可能な位置に移動され光発電部３１１が受光することで光発電部３１１において発電が行われる。これにより、充電部３１２の残量が所定値より大きくなると、「電池不足」の表示は消灯する。
【００６０】
なお、「電池不足」が表示されている状態で、一定時間、発電が行われなかった場合（つまり、一定時間、送気球１４０が操作されず、かつ、光発電部３１１が受光していなかった場合）には、制御部３０３は過放電防止処理を実行するとともに、電源ＯＦＦ処理を実行し、電源ＯＦＦ状態に移行する。あるいは、ユーザが再度電源ボタン３０４を押圧した場合には、電源ＯＦＦ状態に移行する。
【００６１】
６．測定中状態における充電状態表示処理の流れ
次に、測定中状態における制御部３０３による充電状態表示処理の流れについて図６及び図７を用いて説明する。図６は、測定中状態における充電状態表示処理の流れを示すフローチャートであり、図７は、測定中状態における表示部３０６の表示内容を示す図である。
【００６２】
電源ボタン３０４が押圧され測定中状態に移行すると、制御部３０３では図６に示す処理を開始する。ステップＳ６０１では、送気路上に配置されたタービン３０７が回転することでタービン発電部３０８が発電しているか否かを判定する。
【００６３】
ステップＳ６０１においてタービン発電部３０８が発電していないと判定された場合には、ステップＳ６０３に進む。一方、ステップＳ６０１においてタービン発電部３０８が発電していると判定された場合には、ステップＳ６０２に進み、タービン発電中であることを示す信号を電源制御部３１３より受信する。制御部３０３では、タービン発電中であることを示す信号を受信すると、表示部３０６にタービン発電中であることを示す表示を行う（図７の７０２参照）。
【００６４】
ステップＳ６０３では、光発電部３１１が発電しているか否かを判定する。ステップＳ６０３において光発電部３１１が発電していないと判定された場合には、ステップＳ６０５に進む。一方、ステップＳ６０３において光発電部３１１が発電していると判定された場合には、ステップＳ６０４に進み、光発電中であることを示す信号を電源制御部３１３より受信する。制御部３０３では、光発電中であることを示す信号を受信すると、表示部３０６に光発電中であることを示す表示を行う（図７の７０１参照）。
【００６５】
ステップＳ６０５では、電源制御部３１３からの出力に基づいて充電部３１２の充電量（残量）が所定値以下であるか否かを判定する。ステップＳ６０５において充電部３１２の残量が所定値以下でないと判定された場合には、ステップＳ６０６に進み、充電部３１２の充電量を電源制御部３１３より受信する。制御部３０３では、充電量を受信すると、表示部３０６に充電量に応じた表示を行った後、ステップＳ６０１に戻る（図７の７０３参照）。
【００６６】
一方、ステップＳ６０５において充電部３１２の充電量（残量）が所定値以下であると判定された場合には、ステップＳ６０７に進み、充電部３１２の残量が所定値以下であることを示す表示（「電池不足」）を行う（図７の７０４参照）。
【００６７】
ステップＳ６０８では、充電部３１２の電圧が過放電防止のために設定された閾値以下であるか否かを判定する。ステップＳ６０８において、充電部３１２の電圧が過放電防止のために設定された閾値以下でないと判定された場合には、ステップＳ６０１に戻る。一方、ステップＳ６０８において、充電部３１２の電圧が過放電防止のために設定された閾値以下であると判定された場合には、ステップＳ６０９に進み、電源ＯＦＦ処理を行う。
【００６８】
７．制御部による測定処理の流れ
次に、制御部３０３における測定処理の流れについて説明する。図８Ａ〜図８Ｃは、制御部３０３における測定処理の流れを示すフローチャートであり、図９及び図１０は測定処理時の表示部３０６の表示内容を示す図である。
【００６９】
電源ボタン３０４が押圧されることで測定中状態に移行すると、図８Ａに示す測定処理が開始される。
【００７０】
ステップＳ８０１では、圧力の測定誤差を防止するため、カフ部１１０の残圧の有無を判定する。具体的には、圧力センサ３０１からの出力に基づいて検出された圧力値が所定値（例えば、３０ｍｍＨｇ）以下であるか、または圧力値のマイナスの変化が所定値以下であるか否かを判定する。
【００７１】
ステップＳ８０１において、圧力値が所定値以下でないと判定された場合、または圧力値のマイナスの変化が所定値以下でないと判定された場合には、ステップＳ８０２に進み、脈拍数値・圧力値表示領域２０３に、現在の圧力値を表示するとともに、ユーザに対して、カフ１１４内の残空気を排出させるために排気弁３０９を開くよう、「排気」マークを表示する（図９のメッセージ表示領域２０４の９０２参照）。
【００７２】
一方、ステップＳ８０１において、圧力値が所定値以下であると判定された場合、または圧力値のマイナスの変化が所定値以下であると判定された場合には、ステップＳ８０３に進み、現在の圧力値のゼロ設定を行う。更に、ステップＳ８０４にて脈拍数値・圧力値表示領域２０３に、校正後の圧力値（ゼロ）を表示した後、図８ＢのステップＳ８１１に進む（図９の脈拍数値・圧力値表示領域２０３参照）。
【００７３】
ステップＳ８１１では、ユーザによるポンピング操作が終了し、圧力値の上昇が停止したか否かを判定する。
【００７４】
ステップＳ８１１において、圧力値の上昇が停止していないと判定された場合には、ユーザが、送気球１４０のポンピング操作を行っていると判断する。
【００７５】
ステップＳ８１１において、圧力値の上昇が停止したと判定された場合には、ユーザによる送気球１４０のポンピング操作が終了したと判断し、ステップＳ８１２に進む。
【００７６】
ステップＳ８１２では、圧力センサ３０１からの出力に基づいて検出された圧力信号に基づいて脈波の検出を開始し、検出した脈波をカフ圧と対応付けて記録していく。更にステップＳ８１３では、Ｋ音処理部３０２からの信号に基づいてＫ音信号の抽出を開始し、カフ圧と対応付けて記録していく。なお、圧力値の上昇が停止したことを契機として、脈波検出とＫ音検出を開始する構成としたのは、手動で加圧するため、ポンピング操作が終了したことをもって減圧過程に入ったと判断しているからである。
【００７７】
ステップＳ８１４では、カフ１１４が加圧不足か否かを判定する。具体的には、圧力センサ３０１からの圧力値が減少を開始し、減少開始時点の圧力値からの減少幅が２０ｍｍＨｇに到達するまでの間に、Ｋ音処理部３０２からの出力に基づいてＫ音を抽出したか否かを判定する。減少幅が２０ｍｍＨｇに到達するまでの間に、Ｋ音処理部３０２からの出力に基づいてＫ音を抽出したと判定した場合には、加圧不足と判定し、ステップＳ８１６に進む。
【００７８】
ステップＳ８１６では、加圧不足であることをユーザに報知すべく、「加圧不足」を示すマークを表示する（図９のメッセージ表示領域２０４の９０１参照）。
【００７９】
ステップＳ８１７では、圧力センサ３０１の圧力値が所定値（例えば、３０ｍｍＨｇ）以下であるか否かを判定する。ステップＳ８１７において、圧力センサ３０１の圧力値が所定値以下であると判定された場合には、測定を中止したと判断し、測定処理を終了する。
【００８０】
一方、ステップＳ８１７において、圧力センサ３０１の圧力値が所定値より大きいと判定された場合には、ステップＳ８１８に進む。ステップＳ８１８では、ユーザによるポンピング操作が終了し、圧力値の上昇が停止したか否かを判定する。
【００８１】
ステップＳ８１８において、圧力値の上昇が停止したと判定された場合には、ユーザによる送気球１４０のポンピング操作が終了したと判断し、「加圧不足」を示す表示（９０１）を消灯したうえで、ステップＳ８１４に戻る。
【００８２】
ステップＳ８１４では、再び、加圧不足か否かを判定する。なお、加圧不足か否かの判定の仕方は、既に説明済みであるため、ここでは、説明を省略する。
【００８３】
ステップＳ８１４において、加圧不足であると判定された場合には、ステップＳ８１６に進み、再び加圧不足であることをユーザに報知した後、ステップＳ８１７へと進む。一方、ステップＳ８１４において、加圧不足でないと判定された場合には、カフ１１４が適正な圧力まで加圧されたうえで減圧が開始されたと判断し、図８ＣのステップＳ８３１に進む。
【００８４】
ステップＳ８３１では、最低血圧を検出できたか否かを判定し、最低血圧を検出できたと判定された場合には、ステップＳ８３２に進む。
【００８５】
ステップＳ８３２では、最高血圧を検出できたか否かを判定し、最高血圧を検出できたと判定された場合には、ステップＳ８３３に進む。ステップＳ８３３では、表示部３０６のメッセージ表示領域２０４に、「排気」を示すマークを表示する（図１０のメッセージ表示領域２０４の９０２参照）。
【００８６】
更に、ステップＳ８３４では、圧力センサ３０１の圧力値が所定値（例えば、３０ｍｍＨｇ）以下になっているか否かを判定する。なお、圧力センサ３０１の圧力値が所定値以下となっていない場合とは、例えば、血圧測定が正常に終了したにも関わらず、ユーザが排気ボタン３１０を開状態にしない場合である。この場合、カフ１１４内には所定量の空気が残ることとなる。このように、カフ１１４内の空気が完全に排気されていない場合、次回の血圧測定の際に、再度、排気ボタン３１０を開状態にするための操作が必要となることから、本実施形態に係る電子血圧計１００では、測定結果を表示する前に、ステップＳ８３７において、排気弁３０９を開くようユーザに促し、カフ１１４内の圧力値が所定値以下になるまで待機する（図１０のメッセージ表示領域２０４の９０２参照）。
【００８７】
ステップＳ８３４において、圧力センサ３０１の圧力値が所定値以下となったと判定された場合には、ステップＳ８３５に進み、検出した脈波に基づいて脈拍数を算出する。更に、ステップＳ８３６では、最高血圧値表示領域２０１及び最低血圧値表示領域２０２に、それぞれ、最高血圧値及び最低血圧値を表示する（図１０の１００１及び１００２参照）。更に、最高血圧値及び最低血圧値測定時の脈拍数値を、脈拍数値・圧力値表示領域２０３に表示する（図１０の１００３参照）。
【００８８】
一方、ステップＳ８３１において、最低血圧値を検出できなかったと判定された場合には、ステップＳ８３７に進み、圧力値が４０ｍｍＨｇ以下となったか否かを判定する。ステップＳ８３７において圧力値が４０ｍｍＨｇ以下になっていないと判定された場合には、ステップＳ８３１に戻る。
【００８９】
一方、ステップＳ８３７において圧力値が４０ｍｍＨｇ以下になったと判定された場合には、ステップＳ８３８に進み、排気弁３０９を開くようユーザに促し、ステップＳ８３９では、カフ１１４内の圧力値が２０ｍｍＨｇ以下になるまで待機する（図１０のメッセージ表示領域２０４の９０２参照）。
【００９０】
ステップＳ８３９において、カフ１１４内の圧力値が２０ｍｍＨｇ以下になったと判定された場合またはステップＳ８３２において最高血圧を検出できなかったと判定された場合には、ステップＳ８４０に進み、測定エラーが生じたことをユーザに報知する（図１０のメッセージ表示領域２０４の９０３参照）。
【００９１】
以上の説明から明らかなように、本実施形態では、送気球１４０を備え、ユーザが手動でカフ１１４への空気の送り込みを行う電子血圧計１００において、光発電部を設けるとともにタービン発電部を設け、送気球１４０によるカフ１１４への送風に基づく発電を行う構成とした。これにより、電子血圧計１００に対する外部からの電源の供給が不要となった。
【００９２】
また、本実施形態に係る電子血圧計１００では、光発電部及びタービン発電部を監視する電源制御部３１３を設け、測定中状態であるか否かに関わらず、充電を行うことができる構成とした。また、充電部の充電量（残量）が十分でない場合には、これを報知し、充電を促す構成とした。
【００９３】
更に、排気弁の開閉を手動で実行する構成とするとともに、受動型定速排気弁を用いることにより、血圧測定における消費電力の低減を実現した。
【００９４】
この結果、外部からの電源の供給が不要な、機動性に富む電子血圧計を提供することが可能となった。
【００９５】
［第２の実施形態］
上記第１の実施形態では、Ｋ音検出に基づくコロトコフ音法にて血圧測定を行う構成としたが、本発明はこれに限定されず、例えば、オシロメトリック法にて血圧測定を行う構成としてもよい。
【００９６】
図１１は、オシロメトリック法により血圧測定を行う場合の測定処理の流れを示すフローチャートであり、図８Ｂのフローチャートと対応している。なお、図８Ｂとの相違点は、ステップＳ８１３の後にＫ音の検出開始処理がない点である。
【符号の説明】
【００９７】
１００・・・電子血圧計、１１０・・・カフ部、１１１・・・カフ布、１１２・・・面ファスナー、１１３・・・面ファスナー、１１４・・・カフ、１１５・・・Ｋ音検出部、１２０・・・カフチューブＡｓｓ’ｙ（配管・配線部）、１２１・・・チューブ、１２２・・・配線、１２３・・・３連プラグ、１２４・・・受動型定速排気弁、１２５・・・配管コネクタ、１２６・・・配線コネクタ、１２７・・・配管コネクタ、１３０・・・本体部、１３１・・・本体側コネクタ、１３２・・・排気ボタン、１３３・・・Ｓｏｌｌａｒ  ｂａｔｔｅｒｙ  ｃｅｌｌ、１３４・・・表示部、１３５・・・電源ボタン、１３６・・・接続部、１４０・・・送気球、１４１・・・逆止弁、１４２・・・尻弁、４０１・・・配管、４０２・・・配管
【図１】
2012040198.tif 000003
【図２】
2012040198.tif 000004
【図３】
2012040198.tif 000005
【図４】
2012040198.tif 000006
【図５】
2012040198.tif 000007
【図６】
2012040198.tif 000008
【図７】
2012040198.tif 000009
【図８Ａ】
2012040198.tif 000010
【図８Ｂ】
2012040198.tif 000011
【図８Ｃ】
2012040198.tif 000012
【図９】
2012040198.tif 000013
【図１０】
2012040198.tif 000014
【図１１】
2012040198.tif 000015